(57)【要約】【課題】スリンガリングにより凝縮水を掻き揚げて騒音を発生することなく、室外熱交換器の熱交換効率を向上させた一体型空気調和機を提供すること。【解決手段】本体２０内を基台１上に立設した仕切板２により室内側と室外側とに区画し、室内側に室内側熱交換器３と、これに対向した遠心ファン４とを設け、室外側に、室外側熱交換器５と、これに対向したプロペラファン６と、同プロペラファンと前記遠心ファンとを駆動するファンモータ７と、前記室外側熱交換器およびプロペラファンを囲む円筒状のベルマウスを備えた導風板８とを設け、前記基台上に、前記室内熱交換器よりの凝縮水を溜める水溜め部９を設けた一体型空気調和機において、前記水溜め部を前記室外側熱交換器の下部に延長すると共に、同水溜め部内に凝縮水を前記室外熱交換器側に導き高水位を保つ左右一対の保水板２１，２１’を設けた。【選択図】  図１
2004219012.tif 000002
【特許請求の範囲】
【請求項１】
本体内を基台上に立設した仕切板により室内側と室外側とに区画し、室内側に室内側熱交換器と、これに対向した遠心ファンとを設け、室外側に、室外側熱交換器と、これに対向したプロペラファンと、同プロペラファンと前記遠心ファンとを駆動するファンモータと、前記室外側熱交換器およびプロペラファンを囲む円筒状のベルマウスを備えた導風板とを設け、前記基台上に、前記室内熱交換器よりの凝縮水を溜める水溜め部を設けた一体型空気調和機において、
前記水溜め部を前記室外側熱交換器の下部に延長すると共に、同水溜め部内に凝縮水を前記室外熱交換器側に導き高水位を保つ保水板を設けたことを特徴とする一体型空気調和機。
【請求項２】
前記保水板が長手方向に鈍角に折曲して形成され、その１面が前記室外熱交換器の風上側近傍に平行配置され、他面が前記プロペラファンの風下側に萎ませてハの字状に配置されてなることを特徴とする請求項１記載の一体型空気調和機。
【発明の詳細な説明】
【０００１】
【発明の属する技術分野】
本発明は、一体型空気調和機に係わり、より詳細には、従来のスリンガリングによる凝縮水の掻き揚げ時の騒音をなくすためスリンガリングを廃止しても、室外熱交換器の熱交換効率を落とすことのない構造に関する。
【０００２】
【従来の技術】
従来の一体型空気調和機は、図４に示すように、室内熱交換器３側で発生した凝縮水を室外側の基台１のプロペラファン６の下に設けた水溜め部９に導き、同プロペラファン６に設けたスリンガリング１０によって掻き揚げて室外熱交換器５に吹き付けて蒸発させることにより、凝縮水を処理すると共に、室外熱交換器５の熱交換効率を向上させている（例えば、特許文献１参照。）。
しかし、このような構造では水溜め部がプロペラファンの直下にあるため、プロペラファンによって引き起こされるキャビネット内の空気の移動に伴う風圧によって、水溜め部内に凝縮水があまり溜まらないという現象が発生するため、スリンガリングが凝縮水に接触せず、凝縮水の蒸発処理及び室外熱交換器の熱交換効率向上が効果的に行われないという問題があった。
また、上記基台上に、プロペラファンの風圧によりプロペラファンの回転方向に移動する凝縮水の排出を止める保水板を設けているものがある（例えば、特許文献２参照。）。
上記構成では、プロペラファンの風圧により回転方向に移動する凝縮水の流れを保水板で止めてスリンガリングの下の水溜め部に溜めることが出来、この凝縮水をスリンガリングによって掻き揚げて室外熱交換器に吹き付けることにより効果的に蒸発させると共に、室外熱交換器の熱交換効率を向上することができるものである。
しかし、これら従来の構成では、凝縮水をスリンガリングによって掻き揚げて室外熱交換器に吹き付けるため、その時の騒音が問題となっている。
【０００３】
【特許文献１】
実開平３−８９３２４号公報（第４−６頁、第１図）
【特許文献２】
特開平８−４９８７５号公報（第２−３頁、第１図及び第２図）
【０００４】
【発明が解決しようとする課題】
本発明は以上述べた問題点を解決し、スリンガリングにより凝縮水を掻き揚げて騒音を発生することなく、室外熱交換器の熱交換効率を向上させた一体型空気調和機を提供することを目的としている。
【０００５】
【課題を解決するための手段】
本発明は上述の課題を解決するため、本体内を基台上に立設した仕切板により室内側と室外側とに区画し、室内側に室内側熱交換器と、これに対向した遠心ファンとを設け、室外側に、室外側熱交換器と、これに対向したプロペラファンと、同プロペラファンと前記遠心ファンとを駆動するファンモータと、前記室外側熱交換器およびプロペラファンを囲む円筒状のベルマウスを備えた導風板とを設け、前記基台上に、前記室内熱交換器よりの凝縮水を溜める水溜め部を設けた一体型空気調和機において、
前記水溜め部を前記室外側熱交換器の下部に延長すると共に、同水溜め部内に凝縮水を前記室外熱交換器側に導き高水位を保つ保水板を設けた一体型空気調和機としている。
【０００６】
また、前記保水板が長手方向に鈍角に折曲して形成され、その１面が前記室外熱交換器の風上側近傍に平行配置され、他面が前記プロペラファンの風下側に萎ませてハの字状に配置されてなる一体型空気調和機としている。
【０００７】
【発明の実施の形態】
以下、図面に基づいて本発明による一体型空気調和機を詳細に説明する。
図１は本発明による一体型空気調和機の一実施例を示す要部上断面図、図２は同要部斜視図である。
図１に示すように、本体内を基台１上に立設した仕切板２により室内側と室外側とに区画している。
前記仕切板２により区画された室内側に、室内側熱交換器３と、これに対向した遠心ファン４とを設けている。
室外側に、室外側熱交換器５と、これに対向したプロペラファン６と、同プロペラファン６と前記遠心ファン４とを駆動するファンモータ７と、前記室外側熱交換器５およびプロペラファン６を囲む円筒状のベルマウス８ａを備えた導風板８とを設けている。
また、前記基台１上には、図３に示すように、前記室内熱交換器３よりの凝縮水３０を溜める水溜め部９と、同水溜め部９に溜められた凝縮水３０を前記室外熱交換器５側に保水する左右一対の保水板２１、２１’とを設けている。
この一対の保水板２１、２１’は図２に示すように短手方向直角に折曲して断面Ｌ字状に形成すると共に、長手方向に鈍角に折曲して形成されており、図１に示すように、その１面を前記室外熱交換器５の風上側近傍に平行配置し、他面を前記プロペラファン６の風下側に萎ませてハの字状に配置している。
【０００８】
以上の構成において、つぎにその作用を説明する。
図３は本発明による一体型空気調和機の作用を説明するための要部側断面図である。
図３に示すように、前記プロペラファン６が回転すると矢印で示すように風圧が発生する。
この風圧は中央部が強いため、水溜め部９に溜められた凝縮水３０が、前記左右一対の保水板２１、２１’により導水され、室外熱交換器５側中央に移動する。
この室外熱交換器５側中央に移動した凝縮水３０は、さらに室外熱交換器５の両側端側に移動してプロペラファン６側に戻ろうとするが、前記左右一対の保水板２１、２１’により堰き止められて室外熱交換器５の下部に保水され、同室外熱交換器５の下部の水位を上昇することができる。
このように、室内熱交換器３で発生した冷たい凝縮水３０は、プロペラファン６の風圧により移動して保水板２１，２１’により室外熱交換器５の下部に保水されて水位を上げ、室外熱交換器５を充分浸して冷却するので、同室外熱交換器５の熱交換効率を向上することができる。
【０００９】
【発明の効果】
以上説明したように、本発明による一体型空気調和機によれば、室内熱交換器で発生した冷たい凝縮水は、プロペラファンの風圧により移動して保水板により室外熱交換器の下部に保水されて水位を上げ、室外熱交換器を冷却するので、従来のようにスリンガリングにより凝縮水を掻き揚げることにより騒音を発生させることが無く、室外熱交換器の熱交換効率を向上することができる。
【図面の簡単な説明】
【図１】本発明による一体型空気調和機の一実施例を示す要部上断面図である。
【図２】本発明による一体型空気調和機の一実施例を示す要部斜視図である。
【図３】本発明による一体型空気調和機の作用を説明するための要部側断面図である。
【図４】従来の一体型空気調和機を示す要部上断面図である。
【符号の説明】
１  基台
２  仕切板
３  室内側熱交換器
４  遠心ファン
５  室外側熱交換器
６  プロペラファン
７  ファンモータ
８  導風板
８ａ  ベルマウス
９  水溜め部
２１、２１’  保水板
３０  凝縮水
【図１】
2004219012.tif 000003
【図２】
2004219012.tif 000004
【図３】
2004219012.tif 000005
【図４】
2004219012.tif 000006